(57)【要約】【課題】利用者の入力内容に応じて、利用者の口座情報入力を支援する。【解決手段】利用者が指定した口座情報を取得する口座情報取得部と、前記口座情報に基づいて番号桁数を判断する桁数判断部と、前記利用者への前記番号桁数に対応する入力支援処理を指示する入力支援部と、を備える、口座情報入力支援装置。【選択図】図１
2014232489.tif 000002
【特許請求の範囲】
【請求項１】
利用者が指定した口座情報を取得する口座情報取得部と、
前記口座情報に基づいて番号桁数を判断する桁数判断部と、
前記利用者への前記番号桁数に対応する入力支援処理を指示する入力支援部と、を備える、口座情報入力支援装置。
【請求項２】
前記桁数判断部は、前記口座情報に含まれる金融機関種別に基づいて、支店番号桁数および口座番号桁数の少なくともどちらか一方を判断する、請求項１に記載の口座情報入力支援装置。
【請求項３】
前記桁数判断部は、前記口座情報に含まれる金融機関名に基づいて、支店番号桁数および口座番号桁数の少なくともどちらか一方を判断する、請求項２に記載の口座情報入力支援装置。
【請求項４】
前記桁数判断部は、前記口座情報に含まれる口座種別に基づいて、支店番号桁数および口座番号桁数の少なくともどちらか一方を判断する、請求項３に記載の口座情報入力支援装置。
【請求項５】
前記口座情報入力支援装置は、前記利用者に対して表示される画面を生成する画面生成部をさらに備え、
前記入力支援部は、前記番号桁数を有する番号入力領域を含む画面の生成を前記画面生成部に指示する、請求項１〜４のいずれか一項に記載の口座情報入力支援装置。
【請求項６】
前記口座情報取得部は、前記利用者が前記画面に対して入力した文字を認識し、認識した文字から口座情報を取得する、請求項５に記載の口座情報入力支援装置。
【請求項７】
前記口座情報入力支援装置は、
前記利用者が記入する帳票の種別を判断する帳票種別判断部と、
前記帳票の載置位置を取得する帳票位置取得部と、をさらに備え、
前記入力支援部は、前記帳票の番号入力領域において、前記番号桁数を強調する投光を行うことを指示する、請求項１〜４のいずれか一項に記載の口座情報入力支援装置。
【請求項８】
前記入力支援部は、前記帳票の種別および位置に基づいて、指示する投光パターンを制御する、請求項７に記載の口座情報入力支援装置。
【請求項９】
利用者が指定した口座情報を取得するステップと、
前記口座情報に基づいて番号桁数を判断するステップと、
前記利用者への前記番号桁数に対応する入力支援処理を指示するステップと、含む、口座情報入力支援方法。
【請求項１０】
コンピュータを
利用者が指定した口座情報を取得する口座情報取得部と、
前記口座情報に基づいて番号桁数を判断する桁数判断部と、
前記利用者への前記番号桁数に対応する入力支援処理を指示する入力支援部と、として機能させるプログラム。
【発明の詳細な説明】
【技術分野】
【０００１】
本発明は、口座情報入力支援装置、口座情報入力支援方法、およびプログラムに関する。
【背景技術】
【０００２】
現在、複数の異なる金融機関が存在し、各金融機関には複数の種別の口座が存在する。そのため、各金融機関が有する口座を特定する支店番号および口座番号は、金融機関および口座種別ごとに複数の桁数の番号が存在している。
【０００３】
ここで、例えば、金融機関にて取引を行う場合、利用者は、取引先の金融機関、支店番号、および口座番号等を指定する。利用者が指定する支店番号および口座番号の桁数は、取引先の金融機関および口座種別ごとに異なるため、利用者は、支店番号および口座番号の桁数に対応する帳票の入力位置を、取引先口座ごとに判断する必要があった。ちなみに、特許文献１には、口座番号の桁数等から対応する口座のカード種別を判定する技術が開示されている。
【先行技術文献】
【特許文献】
【０００４】
【特許文献１】特開２０１１−１２３６２９号公報
【発明の概要】
【発明が解決しようとする課題】
【０００５】
上述したように、現在、金融機関および口座種別ごとに、複数の桁数の支店番号および口座番号が存在するため、口座を指定して取引等を行う場合、支店番号および口座番号の帳票における入力位置に関して、利用者の混乱を招くという問題があった。
【０００６】
そこで、本発明は、上記問題に鑑みてなされたものであり、本発明の目的とするところは、利用者の入力内容に応じて、利用者の口座情報入力を支援することが可能な、新規かつ改良された口座情報入力支援装置、口座情報入力支援方法、およびプログラムを提供することにある。
【課題を解決するための手段】
【０００７】
上記課題を解決するために、本発明のある観点によれば、利用者が指定した口座情報を取得する口座情報取得部と、前記口座情報に基づいて番号桁数を判断する桁数判断部と、前記利用者への前記番号桁数に対応する入力支援処理を指示する入力支援部と、を備える、口座情報入力支援装置が提供される。
【０００８】
前記桁数判断部は、前記口座情報に含まれる金融機関種別に基づいて、支店番号桁数および口座番号桁数の少なくともどちらか一方を判断してもよい。
【０００９】
前記桁数判断部は、前記口座情報に含まれる金融機関名に基づいて、支店番号桁数および口座番号桁数の少なくともどちらか一方を判断してもよい。
【００１０】
前記桁数判断部は、前記口座情報に含まれる口座種別に基づいて、支店番号桁数および口座番号桁数の少なくともどちらか一方を判断してもよい。
【００１１】
前記口座情報入力支援装置は、前記利用者に対して表示される画面を生成する画面生成部をさらに備え、前記入力支援部は、前記番号桁数を有する番号入力領域を含む画面の生成を前記画面生成部に指示してもよい。
【００１２】
前記口座情報取得部は、前記利用者が前記画面に対して入力した文字を認識し、認識した文字から口座情報を取得してもよい。
【００１３】
前記口座情報入力支援装置は、前記利用者が記入する帳票の種別を判断する帳票種別判断部と、前記帳票の載置位置を取得する帳票位置取得部と、をさらに備え、前記入力支援部は、前記帳票の番号入力領域において、前記番号桁数を強調する投光を行うことを指示してもよい。
【００１４】
前記入力支援部は、前記帳票の種別および位置に基づいて、指示する投光パターンを制御してもよい。
【００１５】
また、上記課題を解決するために、本発明の別の観点によれば、利用者が指定した口座情報を取得するステップと、前記口座情報に基づいて番号桁数を判断するステップと、前記利用者への前記番号桁数に対応する入力支援処理を指示するステップと、含む、口座情報入力支援方法が提供される。
【００１６】
また、上記課題を解決するために、本発明のさらに別の観点によれば、コンピュータを利用者が指定した口座情報を取得する口座情報取得部と、前記口座情報に基づいて番号桁数を判断する桁数判断部と、前記利用者への前記番号桁数に対応する入力支援処理を指示する入力支援部と、として機能させるプログラムが提供される。
【発明の効果】
【００１７】
以上説明したように本発明によれば、利用者の入力内容に応じて、利用者の口座情報入力を支援することが可能である。
【図面の簡単な説明】
【００１８】
【図１】本発明の第１の実施形態に係る口座情報入力支援装置の概略を示す説明図である。
【図２】同実施形態に係る口座情報入力支援装置、および電子記帳台の内部構成を説明するブロック図である。
【図３】同実施形態に係る口座情報入力支援装置の動作を説明するシークエンスチャート図である。
【図４】同実施形態において電子記帳台に表示される画面の具体例の一例を示した説明図である。
【図５】同実施形態において電子記帳台に表示される画面の具体例の一例を示した説明図である。
【図６】同実施形態において電子記帳台に表示される画面の具体例の一例を示した説明図である。
【図７】同実施形態において電子記帳台に表示される画面の具体例の一例を示した説明図である。
【図８】同実施形態において電子記帳台に表示される画面の具体例の一例を示した説明図である。
【図９】同実施形態において電子記帳台に表示される画面の具体例の一例を示した説明図である。
【図１０】本発明の第２の実施形態に係る口座情報入力支援装置の概略を示す説明図である。
【図１１】同実施形態に係る口座情報入力支援装置、撮像装置および投光装置の内部構成を説明するブロック図である。
【図１２】同実施形態に係る口座情報入力支援装置の動作を説明するシークエンスチャート図である。
【図１３】同実施形態に係る口座情報入力支援装置が適用される振込帳票の具体例の一例を示した説明図である。
【図１４】図１３に示す振込帳票に対する投光の具体例の一例を示した説明図である。
【図１５】図１３に示す振込帳票に対する投光の具体例の一例を示した説明図である。
【図１６】図１３に示す振込帳票に対する投光の具体例の一例を示した説明図である。
【図１７】図１３に示す振込帳票に対する投光の具体例の一例を示した説明図である。
【発明を実施するための形態】
【００１９】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２０】
なお、以下の説明では、本発明を金融機関における振込取引に係る帳票についての口座情報入力（以下、帳票入力）に適用した場合を主として説明するが、本発明は係る例示に限定されない。例えば、帳票は電子帳票であってもよく、紙の帳票に記入されたものを読み取ることによって入力を行うものであってもよい。あるいは、帳票の形式ではなくとも、相当する項目の情報を画面入力するようなものであってもよい。本発明は、金融機関における様々な取引の帳票入力に対して適用することが可能である。
【００２１】
また、以下では、口座情報入力支援装置を帳票入力支援装置とも表現する。
【００２２】
＜１．第１の実施形態＞
［１．１．第１の実施形態の概略］
まず、図１を参照して、本発明の第１の実施形態に係る帳票入力支援装置の概略について説明する。図１は、本発明の第１の実施形態に係る帳票入力支援装置の概略を示す説明図である。
【００２３】
図１に示すように、本発明の第１の実施形態に係る帳票入力支援装置１０は、電子記帳台１３と接続されている。また、電子記帳台１３への入力は、電子ペン１５を用いて行われる。
【００２４】
帳票入力支援装置１０は、利用者が金融機関で取引を行う際に必要な情報を入力するための画面（例えば、電子帳票など）を生成し、電子記帳台１３に表示させる。具体的には、帳票入力支援装置１０は、利用者が口座情報を入力するための画面を生成し、表示させる。また、利用者が指定する口座情報を電子記帳台１３から取得し、取得した口座情報に対応する桁数を有する支店番号および口座番号の番号入力領域を含む入力画面を生成し、電子記帳台１３に送信し、表示させる。
【００２５】
電子記帳台１３は、帳票入力支援装置１０が生成した画面を表示する。また、電子記帳台１３は、利用者によって入力された口座情報を帳票入力支援装置１０に送信する。電子記帳台１３は、例えば、液晶ディスプレイ（ＬＣＤ）、ＯＬＥＤ（Ｏｒｇａｎｉｃ  Ｌｉｇｈｔ  Ｅｍｉｔｔｉｎｇ  Ｄｉｏｄｅ）ディスプレイおよびＣＲＴ（Ｃａｔｈｏｄｅ  Ｒａｙ  Ｔｕｂｅ）ディスプレイなどの表示部を有してもよい。具体的には、電子記帳台１３は、タッチペンなどによる入力が可能なタッチパネル等を有する端末装置であってもよい。
【００２６】
帳票入力支援装置１０と、電子記帳台１３とは、ＶＧＡ（Ｖｅｄｅｏ  Ｇｒａｐｈｉｃｓ  Ａｒｒａｙ）、またはＤＶＩ（Ｄｉｇｉｔａｌ  Ｖｉｓｕａｌ  Ｉｎｔｅｒｆａｃｅ）などの規格に準拠した画像信号通信ケーブルによって接続されていてもよい。また、帳票入力支援装置１０と、電子記帳台１３とは、さらに、ＵＳＢ（Ｕｎｉｖｅｒｓａｌ  Ｓｅｒｉａｌ  Ｂｕｓ）、またはＩＥＥＥ１３９４などの規格に準拠した情報通信ケーブルによって接続されていてもよい。
【００２７】
電子ペン１５は、利用者が電子記帳台１３に入力を行う際に用いる入力デバイスである。具体的には、電子ペン１５は、ポインティングデバイスとして機能する。例えば、利用者が電子記帳台１３の入力検知面に電子ペン１５を接触させた場合、電子記帳台１３は、電子ペン１５が接触した座標位置および圧力情報を検知し、取得することができる。
【００２８】
なお、上記では、利用者の電子記帳台１３への入力に電子ペン１５が用いられる場合を例示したが、本発明の第１の実施形態は係る例示に限定されない。例えば、利用者の電子記帳台１３への入力には、マウス、キーボード、スイッチ、ボタンおよびレバーなどが用いられてもよい。
【００２９】
以上説明したように、本発明の第１の実施形態に係る帳票入力支援装置１０は、電子記帳台１３に表示される画面を変化させることにより、電子帳票に対して利用者の入力を支援する帳票入力支援装置である。
【００３０】
具体的には、本発明の第１の実施形態に係る帳票入力支援装置１０は、利用者が入力した口座情報に対応する桁数を有する支店番号および口座番号の入力領域を含む画面を電子記帳台１３に表示させることができる。したがって、帳票入力支援装置１０によれば、利用者は、支店番号および口座番号を入力する際に、記入すべき桁数の番号入力領域が画面に表示されるため、混乱することなく円滑に支店番号および口座番号の入力を行うことができる。
【００３１】
［１．２．第１の実施形態の内部構成］
次に、図２を参照して、本発明の第１の実施形態に係る帳票入力支援装置１０の内部構成について説明を行う。図２は、本発明の第１の実施形態に係る帳票入力支援装置１０および電子記帳台１３の内部構成を説明するブロック図である。
【００３２】
（１．２．１．帳票入力支援装置の内部構成）
まず、本発明の第１の実施形態に係る帳票入力支援装置１０の内部構成について説明する。図２に示すように、本発明の第１の実施形態に係る帳票入力支援装置１０は、支援装置通信部１０１と、口座情報取得部１０３と、桁数判断部１０５と、口座桁数記憶部１０７と、入力支援部１０９と、画面生成部１１１と、を備える。
【００３３】
支援装置通信部１０１は、電子記帳台１３とのデータの送受信を行う。具体的には、支援装置通信部１０１は、電子記帳台１３から利用者が入力した口座情報を受信し、また、画面生成部１１１が生成した画面の画像情報を電子記帳台１３に送信する。支援装置通信部１０１は、記帳台通信部１３５と対応する接続インターフェースであって、例えば、ＶＧＡポートまたはＤＶＩポートのような画像通信が可能な接続ポートと、ＵＳＢポートまたはＩＥＥＥ１３９４ポート等のような情報通信が可能な接続ポートと、により構成された接続インターフェースであってもよい。
【００３４】
口座情報取得部１０３は、利用者が電子記帳台１３に入力した情報から、利用者が指定した口座情報を取得する。具体的には、口座情報取得部１０３は、利用者が指定する口座の金融機関種別、金融機関名および口座種別などに関する情報を電子記帳台１３から取得する。ここで、口座情報とは、例えば、金融機関種別、金融機関名、および口座種別などを含む情報を表す。
【００３５】
なお、口座情報取得部１０３は、利用者が電子記帳台１３の表示画面から選択した項目内容に基づいて口座情報を取得してもよい。また、口座情報取得部１０３は、利用者が電子記帳台１３に対して行った電子ペン１５等の入力情報から、利用者が入力した文字を認識し、認識した文字に基づいて口座情報を取得してもよい。
【００３６】
桁数判断部１０５は、口座情報取得部１０３が取得した口座情報に基づいて、該口座情報に対応する番号桁数を判断する。具体的には、桁数判断部１０５は、口座桁数記憶部１０７に記憶された金融機関種別、金融機関名および口座種別等と、支店番号および口座番号の桁数との対応関係に基づいて、利用者が指定する口座情報に対応する支店番号および口座番号の桁数を判断する。
【００３７】
口座桁数記憶部１０７は、金融機関種別、金融機関名および口座種別等と、支店番号および口座番号の桁数との対応関係を記憶する。例えば、口座桁数記憶部１０７には、金融機関種別が「銀行」かつ口座種別が「普通」である場合は、支店番号および口座番号が３桁−７桁である対応関係が記憶されている。また、金融機関種別が「銀行」かつ口座種別が「当座」である場合は、支店番号および口座番号が３桁−６桁である対応関係が記憶されている。さらに、金融機関名が特定の銀行（本実施形態では、○○銀行）である場合は、支店番号および口座番号が５桁−１桁−８桁である対応関係が記憶されている。
【００３８】
なお、口座桁数記憶部１０７は、他の金融機関と異なる特徴的な桁数を有する支店番号および口座番号を有する特定の銀行については、個別に銀行名と、支店番号および口座番号との対応関係を記憶する。係る特定の銀行は、銀行名が特定されれば、振込先口座種別に関係なく、一意的に支店番号および口座番号の桁数が定まるため、口座桁数記憶部１０７は、別個に対応関係を記憶しておくことが好ましい。なお、実施例において特定の銀行は１つであるものとして記載するが、複数の銀行の情報を記憶することにより、複数ある場合にも対応可能である。
【００３９】
入力支援部１０９は、桁数判断部１０５により判断された番号桁数に対応する画面の生成を画面生成部１１１に指示する。具体的には、入力支援部１０９は、桁数判断部１０５により判断された支店番号および口座番号の桁数に対応する番号入力領域を含む画面の生成を画面生成部１１１に指示する。
【００４０】
画面生成部１１１は、電子記帳台１３に表示される画面を生成する。具体的には、画面生成部１１１は、利用者に口座情報を入力させる画面を生成し、また、入力支援部１０９から指示された番号桁数を有する番号入力領域を含む画面を生成する。さらに、画面生成部１１１は、電子記帳台１３に表示される受付画面や広告画面等の様々な画面を生成してもよい。
【００４１】
なお、上述した口座情報取得部１０３、桁数判断部１０５、入力支援部１０９、および画面生成部１１１は、例えば、演算処理装置であるＣＰＵ（Ｃｅｎｔｒａｌ  Ｐｒｏｃｅｓｓｉｎｇ  Ｕｎｉｔ）、ＣＰＵが使用するプログラムや演算パラメータ等を記憶するＲＯＭ（Ｒｅａｄ  Ｏｎｌｙ  Ｍｅｍｏｒｙ）、ＣＰＵの実行において使用するプログラムや、その実行において適宜変化するパラメータ等を一時記憶するＲＡＭ（Ｒａｎｄｏｍ  Ａｃｃｅｓｓ  Ｍｅｍｏｒｙ）などで構成される。
【００４２】
また、口座桁数記憶部１０７は、例えば、ＨＤＤ（Ｈａｒｄ  Ｄｉｓｋ  Ｄｒｉｖｅ）またはＳＳＤ（Ｓｏｌｉｄ  Ｓｔａｔｅ  Ｄｒｉｖｅ）等のデータ格納用の記憶装置などによって構成される。
【００４３】
（１．２．２．電子記帳台の内部構成）
続いて、電子記帳台１３の内部構成について説明する。図２に示すように、電子記帳台１３は、入力部１３１と、記帳台制御部１３３と、記帳台通信部１３５と、画面表示部１３７と、を備える。
【００４４】
入力部１３１は、利用者からの入力を取得し、入力情報を生成する。具体的には、入力部１３１は、利用者が情報を入力するための入力手段と、利用者による入力に基づいて入力情報を生成する入力制御回路などから構成される。例えば、入力部１３１は、電子ペン１５が入力検知面に接触した際の座標情報、および圧力情報等を取得するタッチパネル等であってもよい。なお、上記以外にも、入力部１３１は、利用者が情報を入力するための入力手段として、マウス、キーボード、ボタン、スイッチおよびレバーなどを用いてもよい。
【００４５】
記帳台制御部１３３は、電子記帳台１３全体の動作を制御する。具体的には、記帳台制御部１３３は、入力部１３１、記帳台通信部１３５、および画面表示部１３７の各部の動作を制御することにより電子記帳台１３全体の動作を制御する。記帳台制御部１３３は、例えば、演算処理装置であるＣＰＵ、ＣＰＵが使用するプログラムや演算パラメータ等を記憶するＲＯＭ、ＣＰＵの実行において使用するプログラムや、その実行において適宜変化するパラメータ等を一時記憶するＲＡＭなどで構成される。
【００４６】
記帳台通信部１３５は、帳票入力支援装置１０とのデータの送受信を行う。具体的には、記帳台通信部１３５は、入力部１３１に入力された利用者が指定する口座情報を送信し、また、画面表示部１３７に表示される画面情報を帳票入力支援装置１０から受信する。さらに、記帳台通信部１３５は、支援装置通信部１０１と対応する接続インターフェースであって、例えば、ＶＧＡポートまたはＤＶＩポートのような画像通信が可能な接続ポートと、ＵＳＢポートまたはＩＥＥＥ１３９４ポート等のような情報通信が可能な接続ポートと、によって構成されてもよい。
【００４７】
画面表示部１３７は、帳票入力支援装置１０から受信した画面を表示する。画面表示部１３７は、例えば、液晶ディスプレイ、ＯＬＥＤディスプレイおよびＣＲＴディスプレイなどであってもよく、入力部１３１と一体化されたタッチパネル等であってもよい。
【００４８】
［１．３．第１の実施形態の動作］
次に、図３〜図９を参照し、電子記帳台１３に表示される画面の具体例を挙げつつ、本発明の第１の実施形態に係る帳票入力支援装置１０の動作について説明を行う。ここで、図３は、本発明の第１の実施形態に係る帳票入力支援装置１０の動作を説明するシークエンスチャート図である。また、図４〜図９は、電子記帳台１３に表示される画面の具体例の一例を示した説明図である。
【００４９】
図３に示すように、まず、電子記帳台１３に、図４に示すような金融機関種別を選択するための金融機関種別選択画面３００が表示される。また、利用者は、係る金融機関種別選択画面３００に、指定する振込先金融機関種別を選択する（Ｓ１０１）。
【００５０】
例えば、図４に示す金融機関種別選択画面３００には、振込先金融機関種別を選択するよう促すメッセージが表示され、振込先金融機関種別の選択のために、「銀行」選択ボタン３０１、「信用金庫」選択ボタン３０３、「○○銀行」選択ボタン３０５が設置される。利用者は、振込先金融機関種別を選択するために「銀行」選択ボタン３０１、「信用金庫」選択ボタン３０３、「○○銀行」選択ボタン３０５のいずれかを押下し、「次へ」ボタン３０７を押下することにより、次の画面に進むことができる。
【００５１】
なお、「○○銀行」選択ボタン３０５は、例えば、他の金融機関と異なる特徴的な桁数の支店番号および口座番号を有する特定の銀行（本実施形態では、○○銀行）のために設置される。係る特定の銀行は、銀行名が特定されれば、振込先口座種別に関係なく、一意的に支店番号および口座番号の桁数が定まるため、別個に選択ボタンを設置しておくことが好ましい。また、利用者が金融機関名および口座種別を入力する前に、係る特定の銀行が振込先金融機関か否かを先に判別しておくことが好ましい。
【００５２】
次に、図３に示すように、金融機関種別選択画面３００において、振込先金融機関種別が選択された場合（Ｓ１０１）、電子記帳台１３は、選択された振込先金融機関種別を帳票入力支援装置１０に送信し（Ｓ１０３）、帳票入力支援装置１０は、○○銀行が選択されたか否かを判断する（Ｓ１０５）。
【００５３】
○○銀行が選択されなかった場合（Ｓ１０５／Ｎｏ）、帳票入力支援装置１０は、図５に示すような金融機関名を入力するための金融機関名入力画面３１０を送信し（Ｓ１０７）、電子記帳台１３に表示させる。また、利用者は、係る金融機関名入力画面３１０に、指定する振込先金融機関名を入力する（Ｓ１０９）。
【００５４】
例えば、図５に示す金融機関名入力画面３１０には、振込先金融機関名を入力するよう促すメッセージが表示され、振込先金融機関名入力領域３１１が設置される。利用者は、例えば、電子ペン１５により、指定する振込先金融機関名を振込先金融機関名入力領域３１１に入力し、「次へ」ボタン３１３を押下することにより、次の画面に進むことができる。図５では、例えば、「沖」銀行と金融機関名が入力されている。
【００５５】
続いて、図３に示すように、金融機関名入力画面３１０において、振込先金融機関名が入力された場合（Ｓ１０９）、または○○銀行が選択されていた場合（Ｓ１０５／Ｙｅｓ）、帳票入力支援装置１０は、図６に示すような振込先口座種別を選択するための口座種別選択画面３２０を送信し（Ｓ１１１）、電子記帳台１３に表示させる。また、利用者は、係る口座種別選択画面３２０に、指定する振込先口座種別を選択する（Ｓ１１３）。
【００５６】
例えば、図６に示す口座種別選択画面３２０には、振込先口座種別を選択するよう促すメッセージが表示され、振込先口座種別の選択のために、「普通預金」選択ボタン３２１、「当座預金」選択ボタン３２３、「貯蓄預金」選択ボタン３２５が設置される。利用者は、振込先口座種別を選択するために「普通預金」選択ボタン３２１、「当座預金」選択ボタン３２３、「貯蓄預金」選択ボタン３２５のいずれかを押下し、「次へ」ボタン３２７を押下することにより、次の画面に進むことができる。
【００５７】
次に、図３に示すように、口座種別選択画面３２０において、振込先口座種別が選択された場合（Ｓ１１３）、電子記帳台１３は、入力された振込先金融機関名、および選択された振込先口座種別を帳票入力支援装置１０に送信する（Ｓ１１５）。ここで、再度、帳票入力支援装置１０は、○○銀行が選択されていたか否かを判断する（Ｓ１１７）。
【００５８】
○○銀行が選択されていた場合（Ｓ１１７／Ｙｅｓ）、帳票入力支援装置１０は、図９に示すような支店番号および口座番号の桁数が５桁−１桁−８桁である番号入力画面３５０を送信し（Ｓ１１９）、電子記帳台１３に表示させる。また、利用者は、係る番号入力画面３５０に、指定する振込先口座の支店番号および口座番号を入力する（Ｓ１２５）。
【００５９】
例えば、図９は、金融機関名が「○○銀行」である場合に、電子記帳台１３に表示される番号入力画面３５０である。図９に示す番号入力画面３５０には、支店番号および口座番号を入力するよう促すメッセージが表示され、５桁−１桁−８桁の桁数を有する支店番号および口座番号入力領域３５１、３５３、３５５が設置される。利用者は、支店番号および口座番号入力領域３５１、３５３、３５５に指定する振込先口座の支店番号および口座番号を入力し、「次へ」ボタン３５７を押下することにより、次の画面に進むことができる。
【００６０】
また、図３に示すように、○○銀行が選択されていなかった場合（Ｓ１１７／Ｎｏ）、帳票入力支援装置１０は、振込先の金融機関種別および口座種別から、対応する支店番号および口座番号の桁数を判断する（Ｓ１２１）。また、帳票入力支援装置１０は、Ｓ１２１で判断した支店番号および口座番号の桁数を有する番号入力画面を送信し（Ｓ１２３）、電子記帳台１３に表示させる。また、利用者は、係る番号入力画面に、指定する振込先口座の支店番号および口座番号を入力する（Ｓ１２５）。
【００６１】
例えば、図７は、金融機関種別が「銀行」、かつ口座種別が「当座預金」である場合に、電子記帳台１３に表示される支店番号および口座番号の桁数が３桁−６桁である番号入力画面３３０である。具体的には、図７に示す番号入力画面３３０には、支店番号および口座番号を入力するよう促すメッセージが表示され、３桁の桁数を有する支店番号入力領域３３１と、６桁の桁数を有する口座番号入力領域３３３が設置される。利用者は、支店番号入力領域３３１、および口座番号入力領域３３３に指定する振込先口座の支店番号および口座番号を入力し、「次へ」ボタン３３５を押下することにより、次の画面に進むことができる。
【００６２】
また、例えば、図８は、金融機関種別が「銀行」、かつ口座種別が「普通預金」である場合に、電子記帳台１３に表示される支店番号および口座番号の桁数が３桁−７桁である番号入力画面３４０である。具体的には、図８に示す番号入力画面３４０には、支店番号および口座番号を入力するよう促すメッセージが表示され、３桁の桁数を有する支店番号入力領域３４１と、７桁の桁数を有する口座番号入力領域３４３が設置される。利用者は、支店番号入力領域３４１、および口座番号入力領域３４３に指定する振込先口座の支店番号および口座番号を入力し、「次へ」ボタン３４５を押下することにより、次の画面に進むことができる。
【００６３】
［１．４．第１の実施例のまとめ］
以上、本発明の第１の実施形態に係る帳票入力支援装置１０について説明を行った。本発明の第１の実施形態に係る帳票入力支援装置１０は、利用者が支店番号および口座番号を入力する際に、入力が完了している口座情報に基づいて、画面に表示される支店番号および口座番号の番号入力領域が有する桁数を変化させることができる。したがって、帳票入力支援装置１０によれば、利用者は、支店番号および口座番号を入力する際に、記入すべき桁数の番号入力領域が表示されるため、混乱することなく円滑に支店番号および口座番号の入力を行うことができる。
【００６４】
なお、上記実施形態においては、利用者が入力した口座情報に基づいて、支店番号および口座番号の番号入力領域が有する桁数を変化させる構成について説明したが、本発明は、上記に限定されない。例えば、本発明は、入力した情報に基づいて、以降の画面における入力領域の入力可能文字数および入力制限文字数を変化させる構成であってもよい。また、本発明は、金融システムにおける取引内容に関する帳票以外の入力支援に用いることも可能である。
【００６５】
＜２．第２の実施形態＞
［２．１．第２の実施形態の概略］
次に、図１０を参照して、本発明の第２の実施形態に係る帳票入力支援装置の概略について説明する。図１０は、本発明の第２の実施形態に係る帳票入力支援装置の概略を示す説明図である。
【００６６】
図１０に示すように、本発明の第２の実施形態に係る帳票入力支援装置２０は、撮像装置２３および投光装置２５と接続されている。また、撮像装置２３は、記帳台２７の上の帳票２９を撮像しており、投光装置２５は、同様に、記帳台２７の上の帳票２９に投光を行っている。
【００６７】
帳票入力支援装置２０は、利用者が帳票２９に記入した内容に基づき、投光装置２５に対して帳票２９への投光パターンを制御する。具体的には、帳票入力支援装置２０は、利用者が帳票２９に記入した口座情報を撮像装置２３により取得し、取得した口座情報に対応する支店番号および口座番号の桁数を強調する投光を帳票２９の番号入力領域に行うことを投光装置２５に指示する。
【００６８】
撮像装置２３は、所定のタイミングで帳票２９の画像を撮像し、取得する。具体的には、撮像装置２３は、記帳台２７の利用者の顔の高さ程度の位置に設置され、上方から見下ろすように帳票２９の画像を所定のタイミングで（例えば、１〜４秒間隔）で撮像する。なお、撮像装置２３は、帳票２９の画像が撮像できるならば、いかなる位置に設置されてもよい。
【００６９】
投光装置２５は、帳票２９に対して帳票入力支援装置２０が指示した番号入力領域の桁数を強調するような投光を行う。具体的には、投光装置２５は、投光パターンが可変な投光装置であり、例えば、帳票２９に対して帳票入力支援装置２０が指示した番号入力領域の桁数を囲むような投光を行う。例えば、投光装置２５は、可視光のレーザー光を発する装置、またはスポットライト等の指向性および収束性の高い光を発する装置であってもよい。なお、投光装置２５は、撮像装置２３と同様に、帳票２９に対して投光が行えるならば、いかなる位置に設置されてもよい。
【００７０】
ここで、帳票入力支援装置２０と撮像装置２３、および帳票入力支援装置２０と投光装置２５は、例えば、ＵＳＢまたはＩＥＥＥ１３９４などの規格に準拠した情報通信ケーブルによって接続されていてもよい。また、帳票入力支援装置２０は、複数の撮像装置２３、および複数の投光装置２５が接続されることにより、複数の帳票入力を支援してもよい。
【００７１】
記帳台２７は、利用者が帳票２９の記入を行う台である。また、記帳台２７には、撮像装置２３および投光装置２５が設置される。なお、記帳台は、利用者の帳票記入に適していれば、いかなる台であってもよい。
【００７２】
帳票２９は、利用者が口座情報を記入する用紙である。例えば、帳票２９は、金融機関種別、金融機関名、および口座種別等の入力領域と、支店番号および口座番号入力領域と、を含む。また、帳票２９には、帳票２９の種別を認識するための印刷パターン、一次元バーコードまたは二次元バーコードが印刷されている。ここで、帳票２９に設けられた支店番号および口座番号入力領域は、金融機関および口座種別ごとに異なる桁数の支店番号および口座番号に対応するため、存在する支店番号および口座番号の最大の桁数となっている。例えば、帳票２９の支店番号および口座番号入力領域の桁数は、１４桁である。
【００７３】
以上説明したように、本発明の第２の実施形態に係る帳票入力支援装置２０は、投光装置２５からの帳票２９への投光パターンを変化させることにより、紙媒体の帳票に対して利用者の入力を支援する帳票入力支援装置である。
【００７４】
具体的には、本発明の第２の実施形態に係る帳票入力支援装置２０は、撮像装置２３により利用者が帳票２９に記入した口座情報を取得し、対応する支店番号および口座番号の桁数を判断する。また、帳票入力支援装置２０は、帳票２９の番号入力領域に対して、判断した支店番号および口座番号の桁数を強調するような投光を指示することができる。したがって、帳票入力支援装置２０によれば、利用者は、帳票２９に支店番号および口座番号を記入する際に、記入すべき番号桁数が強調されているので、混乱することなく円滑に支店番号および口座番号の記入を行うことができる。
【００７５】
［２．２．第２の実施形態の内部構成］
次に、図１１を参照して、本発明の第２の実施形態に係る帳票入力支援装置２０の内部構成について説明を行う。図１１は、本発明の第２の実施形態に係る帳票入力支援装置２０、撮像装置２３および投光装置２５の内部構成を説明するブロック図である。
【００７６】
（２．２．１．帳票入力支援装置の内部構成）
まず、本発明の第２の実施形態に係る帳票入力支援装置２０の内部構成について説明する。図１１に示すように本発明の第２の実施形態に係る帳票入力支援装置２０は、撮像情報受信部２０１と、帳票種別判断部２０３と、帳票位置取得部２０５と、口座情報取得部２０７と、口座桁数記憶部２１１と、桁数判断部２０９と、投光パターン記憶部２１３と、入力支援部２１５と、投光情報送信部２１７と、を備える。
【００７７】
撮像情報受信部２０１は、画像情報を受信する。具体的には、撮像情報受信部２０１は、撮像装置２３から利用者が記入した帳票２９の画像情報を受信する。撮像情報受信部２０１は、例えば、撮像情報送信部２３３と対応するＵＳＢポート、またはＩＥＥＥ１３９４ポート等のような情報通信が可能な接続ポートにより構成された接続インターフェースであってもよい。
【００７８】
帳票種別判断部２０３は、撮像装置２３が撮像した帳票２９の画像情報から利用者が記入している帳票２９の種別を判別する。具体的には、帳票種別判断部２０３は、帳票２９上に印刷された帳票識別用印刷パターン、一次元バーコード、または二次元バーコード等を画像情報から認識し、認識したパターンに基づいて、利用者が記入している帳票２９の種別を判断する。
【００７９】
帳票位置取得部２０５は、撮像装置２３が撮像した帳票２９の画像情報から帳票２９の位置および傾きを取得する。具体的には、帳票位置取得部２０５は、撮像装置２３が撮像した帳票２９の画像情報について、帳票２９の外形、記入欄の枠形状、および位置算出用マーク等を認識し、認識した形状等を基準にして、帳票２９の位置および傾きを取得する。
【００８０】
口座情報取得部２０７は、利用者が帳票２９に記入した情報から、利用者が指定した口座情報を取得する。具体的には、口座情報取得部２０７は、撮像装置２３が撮像した帳票２９の画像情報から、利用者が記入した領域を判断し、認識する。また、口座情報取得部２０７は、ＯＣＲ（Ｏｐｔｉｃａｌ  Ｃｈａｒａｃｔｅｒ  Ｒｅｃｏｇｎｉｔｉｏｎ）、および画像認識等を用いて、利用者が記入した金融機関種別、金融機関名および口座種別などに関する情報を取得する。ここで、口座情報とは、金融機関種別、金融機関名、および口座種別などを含む情報を表す。
【００８１】
なお、口座情報取得部２０７は、帳票種別判断部２０３により判断された帳票２９の種別、および帳票位置取得部２０５により取得された帳票２９の位置および傾きを参照して、利用者が記入した領域を判断し、認識してもよい。
【００８２】
桁数判断部２０９は、口座情報取得部２０７が取得した口座情報に基づいて、該口座情報に対応する番号桁数を判断する。具体的には、桁数判断部２０９は、口座桁数記憶部２１１に記憶された金融機関種別、金融機関名および口座種別と、支店番号および口座番号の桁数との対応関係に基づいて、利用者が指定する口座情報に対応する支店番号および口座番号の桁数を判断する。
【００８３】
口座桁数記憶部２１１は、金融機関種別、金融機関名および口座種別と、支店番号および口座番号の桁数との対応関係を記憶する。例えば、口座桁数記憶部２１１には、金融機関種別が「銀行」かつ口座種別が「普通」である場合は、支店番号および口座番号が３桁−７桁である対応関係が記憶されている。また、金融機関種別が「銀行」かつ口座種別が「当座」である場合は、支店番号および口座番号が３桁−６桁である対応関係が記憶されている。さらに、金融機関名が特定の銀行（本実施形態では、○○銀行）である場合は、支店番号および口座番号が５桁−１桁−８桁である対応関係が記憶されている。
【００８４】
なお、口座桁数記憶部２１１は、他の金融機関と異なる特徴的な桁数を有する支店番号および口座番号を有する特定の銀行については、個別に銀行名と、支店番号および口座番号との対応関係を記憶する。係る特定の銀行は、銀行名が特定されれば、振込先口座種別に関係なく、一意的に支店番号および口座番号の桁数が定まるため、口座桁数記憶部２１１は、別個に対応関係を記憶しておくことが好ましい。なお、実施例において特定の銀行は１つであるものとして記載するが、複数の銀行の情報を記憶することにより、複数ある場合にも対応可能である。
【００８５】
投光パターン記憶部２１３は、投光装置２５によって帳票２９に投光される投光パターンを記憶する。具体的には、投光パターン記憶部２１３は、帳票種別ごと、支店番号および口座番号の桁数ごとに、投光装置２５によって投光される投光パターンを記憶している。例えば、投光パターン記憶部２１３に記憶される投光パターンは、矩形の枠形状であってもよい。
【００８６】
入力支援部２１５は、桁数判断部２０９により判断された番号桁数に基づき、投光装置２５に対して投光パターンを指示する。具体的には、入力支援部２１５は、利用者が指定する口座情報に対応する支店番号および口座番号の桁数に基づいて、投光パターン記憶部２１３から投光パターンを判断し、該投光パターンの投光を投光装置２５に指示する。
【００８７】
また、入力支援部２１５は、帳票種別判断部２０３が判断した帳票の種別、および帳票位置取得部２０５が取得した帳票の位置および傾きに基づいて、投光パターンが帳票２９の番号入力領域と一致するように投光パターンを変形させてもよい。係る構成により、記帳台２７において、帳票２９の載置位置を厳密に定めていなくとも、正確に帳票２９の番号入力領域に投光を行うことができる。
【００８８】
さらに、入力支援部２１５は、撮像装置２３によって撮像された画像情報から、投光が行われる位置に利用者の手や筆記具等の遮蔽物が存在すると判断した場合、入力支援部２１５は、該遮蔽物に投光しないように投光パターンを変形させてもよい。
【００８９】
投光情報送信部２１７は、投光装置２５への投光指示の送信を行う。具体的には、投光情報送信部２１７は、帳票２９への投光パターンを投光装置２５に送信する。投光情報送信部２１７は、例えば、投光情報受信部２５３と対応するＵＳＢポート、またはＩＥＥＥ１３９４ポート等のような情報通信が可能な接続ポートにより構成された接続インターフェースであってもよい。
【００９０】
なお、上述した、帳票種別判断部２０３、帳票位置取得部２０５、および口座情報取得部２０７、桁数判断部２０９、および入力支援部２１５は、例えば、演算処理装置であるＣＰＵ、ＣＰＵが使用するプログラムや演算パラメータ等を記憶するＲＯＭ、ＣＰＵの実行において使用するプログラムや、その実行において適宜変化するパラメータ等を一時記憶するＲＡＭなどで構成される。
【００９１】
また、口座桁数記憶部２１１、および投光パターン記憶部２１３は、例えば、ＨＤＤまたはＳＳＤ等のデータ格納用の記憶装置などによって構成される。
【００９２】
（２．２．２．撮像装置および投光装置の内部構成）
続いて、撮像装置２３、および投光装置２５の内部構成について説明する。図１１に示すように、撮像装置２３は、撮像部２３１と、撮像情報送信部２３３と、を備える。また、投光装置２５は、投光部２５１と、投光情報受信部２５３と、を備える。
【００９３】
撮像部２３１は、撮像レンズおよび撮像素子等を備え、所定のタイミング（例えば、１〜４秒間隔）で帳票２９の画像を取得する。ここで、撮像素子は、例えば、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサまたはＣＣＤ（Ｃｈａｒｇｅ  Ｃｏｕｐｌｅｄ  Ｄｅｖｉｃｅ）イメージセンサなどで構成され、撮像レンズを介して入射する被写体からの光を受光して光電変換を行い、画像信号に変換する。
【００９４】
撮像情報送信部２３３は、撮像部２３１が撮像した帳票２９の画像情報を帳票入力支援装置２０へ送信する。撮像情報送信部２３３は、例えば、撮像情報受信部２０１と対応するＵＳＢポート、またはＩＥＥＥ１３９４ポート等のような情報通信が可能な接続ポートにより構成された接続インターフェースであってもよい。
【００９５】
投光部２５１は、利用者が記入する帳票２９に対して投光を行う。具体的には、投光部２５１は、帳票入力支援装置２０から指示された投光パターンを形成し、帳票２９に対して投光を行う。例えば、投光部２５１は、光学機構により投光形状が可変であり、光源として可視光の半導体レーザーを用いた光学装置であってもよい。また、投光部２５１は、光源としてレーザー以外の指向性および収束性の高い光を用いたスポットライト等であってもよい。
【００９６】
投光情報受信部２５３は、帳票入力支援装置２０からの投光指示を受信する。具体的には、投光情報受信部２５３は、帳票入力支援装置２０からの帳票２９に対して行う投光パターンを受信する。投光情報受信部２５３は、例えば、投光情報送信部２１７と対応するＵＳＢポート、またはＩＥＥＥ１３９４ポート等のような情報通信が可能な接続ポートにより構成された接続インターフェースであってもよい。
【００９７】
［２．３．第２の実施形態の動作］
続いて、図１２を参照し、本発明の第２の実施形態に係る帳票入力支援装置２０の動作について説明を行う。ここで、図１２は、本発明の第２の実施形態に係る帳票入力支援装置２０の動作を説明するシークエンスチャート図である。
【００９８】
図１２に示すように、まず、撮像装置２３は、帳票２９を撮像し、帳票２９の画像情報を取得する（Ｓ２０１）。また、撮像装置２３は、撮像した帳票２９の画像情報を帳票入力支援装置２０に送信する（Ｓ２０３）。
【００９９】
次に、帳票入力支援装置２０は、撮像装置２３から受信した帳票２９の画像情報において、帳票２９の種別、位置および傾きを検出する（Ｓ２０５）。続いて、帳票入力支援装置２０は、検出した帳票２９の種別、位置および傾きに基づいて、帳票２９において利用者が記入した領域を判断する（Ｓ２０７）。さらに、帳票入力支援装置２０は、該記入領域の記入内容を認識し、取得する（Ｓ２０９）。
【０１００】
ここで、帳票入力支援装置２０は、帳票２９に記入された内容に基づいて、支店番号および口座番号の入力桁数を判断できるか否か判定する（Ｓ２１１）。帳票２９に記入された内容に基づいて支店番号および口座番号の入力桁数が判断できる場合（Ｓ２１１／Ｙｅｓ）、帳票入力支援装置２０は、帳票２９に記入された内容に基づいて、支店番号および口座番号の入力桁数を判断する（Ｓ２１３）。
【０１０１】
続いて、帳票入力支援装置２０は、判断した支店番号および口座番号の桁数を強調する投光を投光装置２５に指示する（Ｓ２１５）。さらに、帳票入力支援装置２０は、投光装置２５に強調する領域を指示する投光パターンを送信し（Ｓ２１７）、投光装置２５は、指示された投光パターンの投光を実行する（Ｓ２２３）。
【０１０２】
一方、帳票２９に記入された内容に基づいて支店番号および口座番号の入力桁数が判断できない場合（Ｓ２１１／Ｎｏ）、帳票入力支援装置２０は、利用者により口座情報が記入される領域を強調する投光を投光装置２５に指示する（Ｓ２１９）。さらに、帳票入力支援装置２０は、投光装置２５に強調する領域を指示する投光パターンを送信し（Ｓ２２１）、投光装置２５は、指示された投光パターンの投光を実行する（Ｓ２２３）。
【０１０３】
ここで、帳票２９に記入された内容に基づいて支店番号および口座番号の入力桁数が判断できない場合（Ｓ２１１／Ｎｏ）とは、例えば、利用者により口座情報が記入される前、または利用者により口座情報が記入される途中が挙げられる。係る場合、帳票入力支援装置２０は、口座情報の記入領域を強調する投光を投光装置２５に指示することにより、利用者に口座情報の記入を促すことができる。
【０１０４】
［２．４．第２の実施形態に係る投光パターンの具体例］
さらに、図１３〜図１７を参照して、本発明の第２の実施形態に係る帳票入力支援装置２０が指示する投光の具体例について説明する。ここで、図１３は、本発明の第２の実施形態に係る帳票入力支援装置２０が適用される振込帳票４００の具体例の一例を示した説明図である。また、図１４〜図１７は、図１３に示す振込帳票４００に対する投光の具体例の一例を示した説明図である。
【０１０５】
なお、図１４〜図１７において、投光パターンは、振込帳票４００に印刷された枠線と区別するために破線で示した。ここで、投光装置２５による投光パターンは、例えば、実線の枠形状であってもよいし、破線の枠形状であってもよい。また、投光装置２５による投光パターンは、図１４〜図１７で示した破線内部を塗りつぶした形状であってもよい。
【０１０６】
図１３に示すように、振込帳票４００には、口座情報の記入領域として、銀行名記入領域４０１と、口座種別記入領域４０３と、支店番号および口座番号記入領域４０５と、が設けられる。利用者は、振込先口座を指定するために、銀行名記入領域４０１に、振込先口座を有する金融機関種別および金融機関名を記入し、また、口座種別記入領域４０３に、振込先口座の口座種別を記入する。さらに、利用者は、支店番号および口座番号記入領域４０５に、振込先口座の支店番号および口座番号を記入する。
【０１０７】
ここで、図１４に示すように、利用者により口座情報が記入される前において、帳票入力支援装置２０は、協調のために銀行名記入領域４０１を囲む枠形状の投光４０７を投光装置２５に指示する。なお、利用者により銀行名記入領域４０１のみ記入が終わり、口座種別記入領域４０３が未記入である場合、帳票入力支援装置２０は、口座種別記入領域４０３を囲む枠形状を有する投光を投光装置２５に指示してもよい。
【０１０８】
また、図１５〜図１７に示すように、利用者が口座情報の記入を終えた後において、帳票入力支援装置２０は、利用者が記入した金融機関種別、金融機関名、および口座種別に基づいて、異なる投光パターンの投光を投光装置２５に指示する。
【０１０９】
まず、図１５に示す振込帳票４１０において、利用者により銀行名記入領域４１１に「沖銀行」と記入され、口座種別記入領域４１３に「普通」と記入された場合について説明する。係る場合、金融機関種別が「銀行」かつ口座種別が「普通」であるため、帳票入力支援装置２０は、支店番号および口座番号が３桁−７桁であると判断する。したがって、帳票入力支援装置２０は、支店番号および口座番号記入領域４１５において、支店番号３桁を強調する形状の投光４１２と、口座番号７桁を強調する形状の投光４１４と、を投光装置２５に指示する。
【０１１０】
次に、図１６に示す振込帳票４２０において、利用者により銀行名記入領域４２１に「沖銀行」と記入され、口座種別記入領域４２３に「当座」と記入された場合について説明する。係る場合、金融機関種別が「銀行」かつ口座種別が「当座」であるため、帳票入力支援装置２０は、支店番号および口座番号が３桁−６桁であると判断する。したがって、帳票入力支援装置２０は、支店番号および口座番号記入領域４２５において、支店番号３桁を強調する形状の投光４２２と、口座番号６桁を強調する形状の投光４２４と、を投光装置２５に指示する。
【０１１１】
さらに、図１５に示す振込帳票４３０において、利用者により銀行名記入領域４３１に、特定の銀行である「○○銀行」と記入され、口座種別記入領域４３３に「普通」と記入された場合について説明する。係る場合、金融機関名が口座桁数記憶部２１１に記憶された特定の銀行であるため、帳票入力支援装置２０は、支店番号および口座番号が５桁−１桁−８桁であると判断する。したがって、帳票入力支援装置２０は、支店番号および口座番号記入領域４３５において、５桁−１桁−８桁を強調する形状の投光４３２、４３４および４３６を投光装置２５に指示する。
【０１１２】
［２．５．第２の実施例のまとめ］
以上、本発明の第２の実施形態に係る帳票入力支援装置２０について、説明を行った。本発明の第２の実施形態に係る帳票入力支援装置２０は、利用者が帳票２９に支店番号および口座番号を記入する際に、記入された口座情報に基づいて、番号入力領域における支店番号および口座番号の桁数を判断し、該桁数を強調する投光を指示することができる。したがって、帳票入力支援装置２０によれば、利用者は、帳票２９に支店番号および口座番号を記入する際に、記入位置が投光により強調されているため、混乱することなく円滑に支店番号および口座番号の入力を行うことができる。
【０１１３】
また、本発明の第２の実施形態に係る帳票入力支援装置２０は、利用者が記入する領域を順次強調する投光を指示することができるため、利用者に円滑な帳票２９の記入を促すことができる。
【０１１４】
なお、上記実施形態においては、利用者が金融機関で用いる帳票を記入する場合について説明したが、本発明は、上記に限定されない。例えば、本発明は、記入欄が印刷された用紙に利用者が記入を行う場合の入力支援に用いることも可能である。
【０１１５】
＜３．まとめ＞
以上説明したように、本発明に係る帳票入力支援装置は、利用者が指定した口座情報に対応する番号桁数を判断し、該番号桁数に基づいて利用者に対して入力支援処理を行うことが可能である。よって、本発明に係る帳票入力支援装置によれば、利用者は、円滑に帳票入力を行うことが可能である。
【０１１６】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１１７】
なお、本発明の実施形態に係る帳票入力支援装置に内蔵されるＣＰＵ、ＲＯＭおよびＲＡＭなどのハードウェアに、上述した帳票入力支援装置の各構成と同等の機能を発揮させるためのコンピュータプログラムも作成可能である。また、該コンピュータプログラムを記憶させた記憶媒体も提供される。
【符号の説明】
【０１１８】
１０、２０      帳票入力支援装置
１３            電子記帳台
１５            電子ペン
２３            撮像装置
２５            投光装置
２７            記帳台
２９            帳票
１０１          支援装置通信部
１０３、２０７  口座情報取得部
１０５、２０９  桁数判断部
１０７、２１１  口座桁数記憶部
１０９、２１５  入力支援部
１１１          画面生成部
２０１          撮像装置受信部
２０３          帳票種別判断部
２０５          帳票位置取得部
２１３          投光パターン記憶部
２１７          投光情報送信部
【図１】
2014232489.tif 000003
【図２】
2014232489.tif 000004
【図３】
2014232489.tif 000005
【図４】
2014232489.tif 000006
【図５】
2014232489.tif 000007
【図６】
2014232489.tif 000008
【図７】
2014232489.tif 000009
【図８】
2014232489.tif 000010
【図９】
2014232489.tif 000011
【図１０】
2014232489.tif 000012
【図１１】
2014232489.tif 000013
【図１２】
2014232489.tif 000014
【図１３】
2014232489.tif 000015
【図１４】
2014232489.tif 000016
【図１５】
2014232489.tif 000017
【図１６】
2014232489.tif 000018
【図１７】
2014232489.tif 000019